(57)【要約】【課題】爪が爪受け穴から外れてしまうことを抑制できる２部品の組付け構造の提供。【解決手段】第１の部品１０に弾性変形可能な爪３０を設け第２の部品２０に爪受け穴４０を設け、爪３０を爪受け穴４０に係合させることで第１の部品１０を第２の部品２０に組付ける、２部品の組付け構造であって、爪３０は、第１の部品１０から第２の部品２０側に延びる板状部３１と、板状部３１の板厚方向一側面３１ａに設けられる第１の引っ掛かり部３２と、板状部３１の板厚方向他側面３１ｂに設けられる第２の引っ掛かり部３３と、を備えており、第１の引っ掛かり部３２は、板状部３１の幅方向一端部またはその近傍に設けられており、第２の引っ掛かり部３３は、板状部３１の幅方向他端部またはその近傍に設けられている、２部品の組付け構造。【選択図】        図１
2009063150.tif 000002
【特許請求の範囲】
【請求項１】
第１の部品に弾性変形可能な爪を設け第２の部品に爪受け穴を設け、前記爪を前記爪受け穴に係合させることで前記第１の部品を前記第２の部品に組付ける、２部品の組付け構造であって、
前記爪は、前記第１の部品から前記第２の部品側に延びる板状部と、該板状部の板厚方向一側面に設けられる第１の引っ掛かり部と、前記板状部の板厚方向他側面に設けられる第２の引っ掛かり部と、を備えており、
前記第１の引っ掛かり部は、前記板状部の幅方向一端部またはその近傍に設けられており、前記第２の引っ掛かり部は、前記板状部の幅方向他端部またはその近傍に設けられている、２部品の組付け構造。
【請求項２】
前記爪は、前記第１の部品を前記第２の部品側に移動させたとき、前記第１、第２の引っ掛かり部が前記爪受け穴の縁部によって押されることで回動し、前記第１、第２の引っ掛かり部が前記爪受け穴を挿通するまで前記第１の部品を前記第２の部品側に移動させたとき、復元して前記爪受け穴に係合する、請求項１記載の２部品の組付け構造。
【請求項３】
前記爪の板状部には、該板状部の延び方向で前記第１、第２の引っ掛かり部よりも根元側の位置に、前記板状部の幅方向距離を小とする肉盗み部が設けられている、請求項１記載の２部品の組付け構造。
【発明の詳細な説明】
【技術分野】
【０００１】
本発明は、２部品の組付け構造に関する。
【背景技術】
【０００２】
図１０は、従来の２部品の組付け構造を示している。ホルダ等の第１の部品１に弾性変形可能な爪３を設け、回路基板等の第２の部品２に爪受け穴４を設け、爪３を爪受け穴４に係合させることで、第１の部品１は第２の部品２に組付けられる。
爪３は、第１の部品１から第２の部品２側に延びる板状部３ａと、板状部３ａの板厚方向一側面のみに設けられる引っ掛かり部３ｂと、備えている。爪３は、第１の部品１を第２の部品２側に移動させたとき、引っ掛かり部３ｂが爪受け穴４の縁部によって押されることで板厚方向のみに変形し、引っ掛かり部３ｂが爪受け穴４を挿通するまで第１の部品１を第２の部品２側に移動させたとき、復元して爪受け穴４に係合する。
【０００３】
しかし、従来の２部品の組付け構造にはつぎの問題点がある。
引っ掛かり部３ｂが板状部３ａの板厚方向一側面のみに設けられているため、組付過程（製造過程）において作業者が爪３を爪受け穴４に係合させた後、不用意に図１１の矢印のような一方向の力を爪３に加えてしまった場合、爪３が変形して（撓んで）爪３が爪受け穴４から外れてしまうおそれがあり、作業性が悪い。また、組付完成後に爪３に強い衝撃や外力が加わった場合にも同様に爪３が爪受け穴４から外れてしまうおそれがある。
爪３が爪受け穴４から外れやすいため、第１の部品１を第２の部品２に強固に組付けなければならない場合、さらに第１の部品１を第２の部品２にビス締め等しなければならなかった。
【特許文献１】実開平５−６７０２１号公報
【発明の開示】
【発明が解決しようとする課題】
【０００４】
本発明の目的は、爪が爪受け穴から外れてしまうことを抑制できる２部品の組付け構造を提供することにある。
【課題を解決するための手段】
【０００５】
上記目的を達成する本発明はつぎの通りである。
（１）  第１の部品に弾性変形可能な爪を設け第２の部品に爪受け穴を設け、前記爪を前記爪受け穴に係合させることで前記第１の部品を前記第２の部品に組付ける、２部品の組付け構造であって、
前記爪は、前記第１の部品から前記第２の部品側に延びる板状部と、該板状部の板厚方向一側面に設けられる第１の引っ掛かり部と、前記板状部の板厚方向他側面に設けられる第２の引っ掛かり部と、を備えており、
前記第１の引っ掛かり部は、前記板状部の幅方向一端部またはその近傍に設けられており、前記第２の引っ掛かり部は、前記板状部の幅方向他端部またはその近傍に設けられている、２部品の組付け構造。
（２）  前記爪は、前記第１の部品を前記第２の部品側に移動させたとき、前記第１、第２の引っ掛かり部が前記爪受け穴の縁部によって押されることで回動し、前記第１、第２の引っ掛かり部が前記爪受け穴を挿通するまで前記第１の部品を前記第２の部品側に移動させたとき、復元して前記爪受け穴に係合する、（１）記載の２部品の組付け構造。
（３）  前記爪の板状部には、該板状部の延び方向で前記第１、第２の引っ掛かり部よりも根元側の位置に、前記板状部の幅方向距離を小とする肉盗み部が設けられている、（１）記載の２部品の組付け構造。
【発明の効果】
【０００６】
上記（１）の２部品の組付け構造によれば、爪が、板状部の板厚方向一側面に設けられる第１の引っ掛かり部と、板状部の板厚方向他側面に設けられる第２の引っ掛かり部と、を備えているため、第１の引っ掛かり部が外れる方向に爪に力がかかっても第２の引っ掛かり部が係合穴の縁部に引っ掛かり続け、第２の引っ掛かり部が外れる方向に爪に力がかかっても、第１の引っ掛かり部が係合穴の縁部に引っ掛かり続ける。そのため、爪に一方向の力がかかっても、爪が爪受け穴から外れることを防止できる。したがって、爪が爪受け穴から外れてしまうことを従来に比べて抑制できる。
また、第１の引っ掛かり部が板状部の幅方向一端部またはその近傍に設けられ、第２の引っ掛かり部が板状部の幅方向他端部またはその近傍に設けられているため、爪を回動させることで（捩ることで）爪を爪受け穴に係合させることができる。
上記（２）の２部品の組付け構造によれば、爪が、第１の部品を第２の部品側に移動させたとき、第１、第２の引っ掛かり部が爪受け穴の縁部によって押されることで回動し、第１、第２の引っ掛かり部が爪受け穴を挿通するまで第１の部品を第２の部品側に移動させたとき、復元して爪受け穴に係合するため、爪が第１、第２の引っ掛かり部を備える場合であっても、第１の部品を第２の部品側に移動させるだけで第１の部品を第２の部品に組付けることができる。
上記（３）の２部品の組付け構造によれば、爪の板状部に、第１、第２の引っ掛かり部よりも根元側の位置に、板状部の幅方向距離を小とする肉盗み部が設けられているため、肉盗み部が設けられていない場合に比べて、容易に（軽い力で）爪を回動させる（捩る）ことができる。
【発明を実施するための最良の形態】
【０００７】
以下に、図１〜図９を参照して、本発明実施例の２部品の組付け構造を説明する。
本発明実施例の２部品の組付け構造は、図１に示すように、第１の部品１０に弾性変形可能な爪３０を設け第２の部品２０に爪受け穴４０を設け、爪３０を爪受け穴４０に係合させることで第１の部品１０を第２の部品２０に組付ける、２部品の組付け構造である。
【０００８】
第１の部品１０と第２の部品２０は、特に限定するものではないが、ホルダ、カバー、ハウジング、パネル（回路基板）等である。なお、本発明図示例では、第１の部品１０がホルダであり第２の部品２０がパネルである場合を示している。
【０００９】
本発明実施例の２部品の組付け構造は、爪３０と、爪受け穴４０と、変形防止構造５０と、を有する。ただし、変形防止構造５０は、必須の構成要件ではない。
【００１０】
爪３０は、樹脂性である。爪３０は、図２に示すように、第１の部品１０に２個設けられている。ただし、爪３０は、第１の部品１０に少なくとも１個設けられていればよく、１個でも３個以上であってもよい。２個の爪３０は、互いに対向させて設けられていてもよく、互いに非対向させて設けられていてもよい。爪３０は、第１の部品１０から第２の部品２０側に延びて設けられている。
【００１１】
爪３０は、板状であり第１の部品１０から第２の部品２０側に延びる板状部３１と、板状部３１の板厚方向一側面３１ａに設けられる第１の引っ掛かり部３２と、板状部３１の板厚方向他側面３１ｂに設けられる第２の引っ掛かり部３３と、を備える。
【００１２】
板状部３１は、第１の部品１０と別体に形成されて第１の部品１０に固定して取付けられていてもよいが、部品点数削減のために第１の部品１０と一体に形成されていることが望ましい。
【００１３】
板状部３１は、平板状または略平板状である。板状部３１の延び方向先端部の少なくとも幅方向両端部は、係合穴４０の縁に引っ掛かることなく係合穴４０に挿通できるように、傾斜面またはＲ面とされていることが望ましい。板状部３１の延び方向先端部の少なくとも板厚方向両端部は、係合穴４０の縁に引っ掛かることなく係合穴４０に挿通できるように、傾斜面またはＲ面とされていることが望ましい。
【００１４】
板状部３１の幅方向両側の第１の部品１０には、爪３０が爪３０の中心軸Ｐ（図３参照）まわりに回動する（捩れる）ことを可能にするスリット１１が設けられている。なお、中心軸Ｐは、板状部３１の延び方向と直交する断面で板状部３１の中心を通り、板状部３１の延び方向に直線状に延びている。板状部３１は、中心軸Ｐを通り板状部３１の幅方向と直交する面に対して対称形状となっている。
【００１５】
板状部３１には、図９に示すように、板状部３１の延び方向で第１、第２の引っ掛かり部３２，３３よりも根元側の位置に、板状部３１の幅方向距離を小とする肉盗み部３１ｃが設けられていてもよい。肉盗み部３１ｃが設けられる場合、肉盗み部３１ｃは、爪３０が中心軸Ｐまわりに回動することを可能にするために、板状部３１の幅方向一側部だけでなく幅方向両側部に設けられる。
【００１６】
第１、第２の引っ掛かり部３２，３３は、板状部３１と別体に形成されて板状部３１に固定して取付けられていてもよいが、部品点数削減のために板状部３１と一体に形成されていることが望ましい。第１、第２の引っ掛かり部３２，３３は、図３に示すように、板状部３１の延び方向先端部またはその近傍に設けられている。第１、第２の引っ掛かり部３２，３３は、板状部３１から板状部３１の板厚方向外側に突出して設けられている。
【００１７】
第１の引っ掛かり部３２は、板状部３１の板厚方向一側面３１ａの幅方向一端部またはその近傍に設けられている。第１の引っ掛かり部３２の、板状部３１の延び方向先端側の面（以下、先端面という）３２ａは、板状部３１から離れる方向かつ板状部３１の延び方向根元側に傾斜する傾斜面になっている。第１の引っ掛かり部３２の、板状部３１の延び方向根元側の面３２ｂは、板状部３１の延び方向と直交またはほぼ直交する面になっている。
【００１８】
第２の引っ掛かり部３３は、板状部３１の板厚方向他側面３１ｂの幅方向他端部またはその近傍に設けられている。第２の引っ掛かり部３３の、板状部３１の延び方向先端側の面（以下、先端面という）３３ａは、板状部３１から離れる方向かつ板状部３１の延び方向根元側に傾斜する傾斜面になっている。第２の引っ掛かり部３３の、板状部３１の延び方向根元側の面３３ｂは、板状部３１の延び方向と直交またはほぼ直交する面になっている。
【００１９】
第１の引っ掛かり部３２が板状部３１の板厚方向一側面３１ａの幅方向一端部またはその近傍に設けられており、第２の引っ掛かり部３３が板状部３１の板厚方向他側面３１ｂの幅方向他端部またはその近傍に設けられているため、爪３０を板状部３１の板厚方向に一方向に変形させるだけでは爪３０を爪受け穴４０に係合させることができないが、爪３０を中心軸Ｐまわりに回動させることで（捩ることで）、爪３０を爪受け穴４０に係合させることができる。
【００２０】
爪受け穴４０は、図４に示すように、第２の部品２０に爪３０と同数（２個）設けられている。爪受け穴４０は、図５に示すように、板状部対応部４１と、逃げ部４２と、を備える。
【００２１】
板状部対応部４１は、矩形状または略矩形状であり、爪３０の板状部３１を板状部３１の延び方向と直交する平面で切ったときの断面形状と略同じである。板状部対応部４１の長辺の長さは、板状部３１の幅方向長さより僅かに大とされている。板状部対応部４１の短辺の長さは、板状部３１の板厚より僅かに大とされている。板状部対応部４１には、爪３０を爪受け穴４０に係合させたとき、板状部３１が位置する。
【００２２】
逃げ部４２は、扇形状である。逃げ部４２は、板状部対応部４１の両側にそれぞれ１個設けられている。逃げ部４２は、爪３０を爪受け穴４０に係合させるときに、爪３０が回動したときに（爪３０が捩れたときに、爪３０が弾性変形したときに）、板状部３１と干渉することを防止するために設けられている。
【００２３】
変形防止構造５０は、爪３０と爪受け穴４０との係合を解除しようとする意思がないにもかかわらず、第１の部品１０が第２の部品２０に対して変形し（撓み）その結果爪３０が回動して、爪３０が爪受け穴４０から外れることを防止するために、設けられる。
【００２４】
変形防止構造５０は、（ｉ）図２に示すように第１の部品１０に２本のピン５１ａ、５１ｂを設け、図４に示すように第２の部品２０にピン５１ａが挿入される丸穴５２ａとピン５１ｂが挿入される長円穴５２ｂを設け、ピン５１ａ、５１ｂを丸穴５２ａと長円穴５２ｂに挿入させて第１の部品１０の変形を防止する構造であってもよく、（ｉｉ）第２の部品２０に第１の部品１０の外周面または内周面を支持する図示略のリブ（支持壁）を設け該リブで第１の部品１０の変形を防止する構造であってもよく、（iii）第２の部品２０に第１の部品１０が嵌る図示略の凹溝を設け該凹溝に第１の部品１０を嵌めることで第１の部品１０の変形を防止する構造であってもよい。なお、図示例では、第１の部品１０に２本のピン５１ａ、５１ｂを設け、第２の部品２０に丸穴５２ａと長円穴５２ｂを設ける場合（上記（ｉ）の場合）を示している。
【００２５】
第１の部品１０を第２の部品２０に組付ける作動を説明する。
第１の部品１０を第２の部品２０側に移動させると、第１、第２の引っ掛かり部３２，３３の先端面３２ａ、３３ａが爪受け穴４０の縁部４３（図５参照）に当たる。先端面３２ａ、３３ａが縁部４３に当たった後、さらに第１の部品１０を第２の部品２０側に移動させると、先端面３２ａ、３３ａが傾斜面であるため、第１、第２の引っ掛かり部３２，３３が縁部４３により押され、爪３０が中心軸Ｐまわりに回動させられる（捩られる）。
【００２６】
さらに第１の部品１０を第２の部品２０側に移動させて第１、第２の引っ掛かり部３２，３３が爪受け穴４０を挿通したとき（縁部４３を乗り越えたとき）、爪３０は樹脂弾性により復元して爪受け穴４０に係合する。
【００２７】
つぎに、本発明実施例の作用を説明する。
本発明実施例では、爪３０が、板状部３１の板厚方向一側面３１ａに設けられる第１の引っ掛かり部３２と、板状部３１の板厚方向他側面３１ｂに設けられる第２の引っ掛かり部３３と、を備えているため、第１の引っ掛かり部３２が外れる方向に爪３０に力がかかっても第２の引っ掛かり部３３が係合穴４０の縁部４３に引っ掛かり続け、第２の引っ掛かり部３３が外れる方向に爪３０に力がかかっても、第１の引っ掛かり部３２が係合穴４０の縁部４３に引っ掛かり続ける。そのため、爪３０に一方向の力がかかっても、爪３０が爪受け穴４０から外れることを防止できる。したがって、爪３０が爪受け穴４０から外れてしまうことを従来に比べて抑制できる。その結果、爪３０と爪受け穴４０とで第１の部品１０を第２の部品２０に従来に比べて強固に組付けることができ、第１の部品１０を第２の部品２０に強固に組付けるためのビスを廃止できる。
【００２８】
第１の引っ掛かり部３２が板状部３１の幅方向一端部またはその近傍に設けられ、第２の引っ掛かり部３３が板状部３１の幅方向他端部またはその近傍に設けられているため、爪３０を回動させることで（捩ることで）爪３０を爪受け穴４０に係合させることができる。
【００２９】
爪３０が、第１の部品１０を第２の部品２０側に移動させたとき、第１、第２の引っ掛かり部３２，３３が爪受け穴４０の縁部４３によって押されることで回動し、第１、第２の引っ掛かり部３２，３３が爪受け穴４０を挿通するまで第１の部品１０を第２の部品２０側に移動させたとき、復元して爪受け穴に係合するため、爪３０が第１、第２の引っ掛かり部３２，３３を備える場合であっても、第１の部品１０を第２の部品２０側に移動させるだけで第１の部品１０を第２の部品２０に組付けることができる。
【００３０】
爪３０の板状部３１に、第１、第２の引っ掛かり部３２，３３よりも根元側の位置に、板状部３１の幅方向距離を小とする肉盗み部３１ｃが設けられている場合、肉盗み部３１ｃが設けられていない場合に比べて、容易に（軽い力で）爪３０を回動させる（捩る）ことができる。
【図面の簡単な説明】
【００３１】
【図１】本発明実施例の２部品の組付け構造の、第１の部品を第２の部品に組付けたときの斜視図である。
【図２】本発明実施例の２部品の組付け構造の、第１の部品の斜視図である。
【図３】本発明実施例の２部品の組付け構造の、爪とその近傍の第１の部品のみの拡大斜視図である。
【図４】本発明実施例の２部品の組付け構造の、第２の部品の斜視図である。
【図５】図４の爪受け穴とその近傍のみの拡大斜視図である。
【図６】本発明実施例の２部品の組付け構造の、第１の部品を第２の部品に組付けたときの正面図である。
【図７】本発明実施例の２部品の組付け構造の、第１の部品を第２の部品に組付けたときの底面図である。
【図８】本発明実施例の２部品の組付け構造の、第１の部品を第２の部品に組付けたときの左側面図である。
【図９】本発明実施例の２部品の組付け構造の、爪に肉盗み部が設けられている場合の、爪とその近傍の第１の部品のみの拡大斜視図である。
【図１０】従来の２部品の組付け構造の、分解斜視図である。
【図１１】従来の２部品の組付け構造の爪とその近傍の断面図である。
【符号の説明】
【００３２】
１０  第１の部品
１１  スリット
２０  第２の部品
３０  爪
３１  板状部
３１ａ  板厚方向一側面
３１ｂ  板厚方向他側面
３１ｃ  肉盗み部
３２  第１の引っ掛かり部
３２ａ  第１の引っ掛かり部の先端面
３３  第２の引っ掛かり部
３３ａ  第２の引っ掛かり部の先端面
４０  爪受け穴
４１  板状部対応部
４２  逃げ部
４３  縁部
５０  変形防止構造
５１ａ、５１ｂ  ピン
５２ａ  丸穴
５２ｂ  長円穴
Ｐ  中心軸
【図１】
2009063150.tif 000003
【図２】
2009063150.tif 000004
【図３】
2009063150.tif 000005
【図４】
2009063150.tif 000006
【図５】
2009063150.tif 000007
【図６】
2009063150.tif 000008
【図７】
2009063150.tif 000009
【図８】
2009063150.tif 000010
【図９】
2009063150.tif 000011
【図１０】
2009063150.tif 000012
【図１１】
2009063150.tif 000013